(57)【要約】【課題】ＨＤＭＩ（High Definition Multimedia Interface）規格に準拠した方式で直接或いは間接的に接続された複数の電気機器各々の接続位置や接続系統などを容易に確認することのできる表示装置を提供すること。【解決手段】ＨＤＭＩ規格に準拠した方式で直接或いは間接的に接続された複数の電気機器１１〜１６の接続位置に関する接続位置情報（例えば物理アドレス）を取得し，その取得された前記接続位置情報に基づいて前記電気機器１１〜１６各々を接続位置に配置したツリー構造を表示する。【選択図】図４
2008067267.tif 000002
【特許請求の範囲】
【請求項１】
ＨＤＭＩ（High Definition Multimedia Interface）規格に準拠した方式で直接或いは間接的に複数の電気機器が接続可能な表示装置であって，
前記電気機器各々の接続位置に関する接続位置情報を取得する接続位置情報取得手段と，
前記接続位置情報取得手段により取得された前記接続位置情報に基づいて前記電気機器各々を接続位置に配置したツリー構造で該電気機器各々の接続状態を表示する接続状態表示手段と，
を備えてなることを特徴とする表示装置。
【請求項２】
前記接続位置情報取得手段が，ＨＤＭＩ規格のＣＥＣ（Consumer Electronics Control）規格に準拠した制御プロトコルに従って前記接続位置情報を取得するものである請求項１に記載の表示装置。
【請求項３】
前記電気機器各々の機器種別に関する機器種別情報を取得する機器種別情報取得手段と，
前記機器種別情報取得手段により取得された前記機器種別情報に基づいて，前記接続状態表示手段により表示された前記電気機器ごとに機器種別を表示する機器種別表示手段と，
を更に備えてなる請求項１又は２のいずれかに記載の表示装置。
【請求項４】
前記機器種別表示手段が，前記接続状態表示手段により表示される前記電気機器各々を該電気機器の種別に応じて画像化するものである請求項３に記載の表示装置。
【請求項５】
前記接続状態表示手段による表示画面上において前記電気機器のいずれかを選択するための機器選択手段を更に備えてなる請求項１〜４のいずれかに記載の表示装置。
【請求項６】
前記電気機器各々の動作状態に関する動作状態情報を取得する動作状態取得手段と，
前記動作状態取得手段により取得された前記動作状態情報を表示する状態表示手段と，
を更に備えてなる請求項１〜５のいずれかに記載の表示装置。
【請求項７】
前記電気機器各々に設けられた一又は複数の接続端子の種別及び／又は該接続端子の使用状態に関する接続端子情報を取得する接続端子情報取得手段と，
前記接続端子情報取得手段により取得された前記接続端子情報を表示する接続端子情報表示手段と，
を更に備えてなる請求項１〜６のいずれかに記載の表示装置。
【請求項８】
前記接続端子情報取得手段により取得された前記接続端子情報及び／又は予め定められた推奨条件に基づいて，次に電気機器を接続するときの推奨位置を判定する推奨位置判定手段と，
前記推奨位置判定手段により判定された推奨位置を表示する推奨位置表示手段と，
を更に備えてなる請求項７に記載の表示装置。
【請求項９】
前記推奨位置判定手段が，複数の前記推奨位置を抽出してその優先順位を判定するものであって，
前記推奨位置表示手段が，前記優先順位を表示してなる請求項８に記載の表示装置。
【発明の詳細な説明】
【技術分野】
【０００１】
本発明は，ＨＤＭＩ（High Definition Multimedia Interface）規格に準拠した方式で直接或いは間接的に複数の電気機器が接続可能なテレビジョン受像機などの表示装置に関するものである。
【背景技術】
【０００２】
従来から，ＨＤＭＩ規格に準拠した方式で複数の電気機器（以下「ＨＤＭＩ機器」という）が接続可能であり，該ＨＤＭＩ機器から伝送される映像や音声を出力するテレビジョン受像機がある（例えば，特許文献１参照）。前記ＨＤＭＩ機器は，例えば，ＤＶＤ機器やレコーディング機器（録画機器），オーディオ機器，セットトップボックス（ＳＴＢ）等のＡＶ機器である。以下，前記テレビジョン受像機に前記ＨＤＭＩ機器が接続されることにより構成されたシステムをＨＤＭＩシステムと称する。
前記ＨＤＭＩシステムにおける各機器間では，ＨＤＭＩ規格に準拠した一本のケーブル（以下「ＨＤＭＩケーブル」という）で映像や音声，リモート制御用のコントロール信号などを伝送することができる。また，その映像や音声などのデータは，変調を伴わないベースバンド方式で伝送することが可能である。なお，前記ＨＤＭＩケーブル上では，映像や音声は一方向にだけしか伝送することができないが，前記コントロール信号は双方向の伝送が可能である。
前記ＨＤＭＩシステムには，リモコン等による前記テレビジョン受像機への操作入力によって，該テレビジョン受像機に直接或いは間接的に接続されたＨＤＭＩ機器の動作を制御することができるという利点がある。具体的には，リモコン等の操作に応じて前記テレビジョン受像機から前記ＨＤＭＩ機器に伝送されるコントロール信号によって，該ＨＤＭＩ機器において所定の動作が行われる。なお，前記コントロール信号を用いた制御プロトコルはＨＤＭＩ規格のＣＥＣ（Consumer Electronics Control）規格で規定されている。
【０００３】
ところで，前記ＨＤＭＩ機器は，前記テレビジョン受像機に直接接続されるだけではなく，デイジーチェーン方式で間接的に前記テレビジョン受像機に接続することができる。ここに，図１０はＨＤＭＩシステムの構成例であるＨＤＭＩシステムＢの接続状態を示すブロック図である。
図１０に示すように，ＨＤＭＩシステムＢは，テレビジョン受像機Ｙと，該テレビジョン受像機ＹにＨＤＭＩ規格に準拠した方式で接続されたセットトップボックス（ＳＴＢ）１０１，ハードディスクレコーダ（ＰＶＲ）１０２及びＤＶＤ機器１０３と，を有して構成されている。前記ＨＤＭＩシステムＢでは，各機器間が一本のＨＤＭＩケーブルで接続されている。なお，前記ＨＤＭＩケーブルには映像を伝送する映像信号線，音声を伝送する音声信号線，コントロール信号を伝送するＣＥＣ信号線などが含まれている。
詳細には，前記ＳＴＢ１０１の送信用端子と前記テレビジョン受像機Ｘの受信用端子，前記ＤＶＤ機器１０３の送信用端子と前記ＰＶＲ１０２の受信用端子，前記ＰＶＲ１０２の送信用端子と前記テレビジョン受像機Ｘの受信用端子の各々が前記ＨＤＭＩケーブルで接続されている。即ち，前記ＳＴＢ１０１及び前記ＰＶＲ１０２は，前記テレビジョン受像機Ｙに直接接続されているが，前記ＤＶＤ機器１０３は，前記ＰＶＲ１０２を介して間接的に前記テレビジョン受像機Ｙに接続されている。
このように，前記テレビジョン受像機Ｙには，複数のＨＤＭＩ機器が並列及び直列に接続されるため，その接続状態は図１０に示すようなツリー構造を形成する。そして，前記ＨＤＭＩシステムＢでは，前記ＤＶＤ機器１０３から出力される映像や音声を，該ＤＶＤ機器１０３と同一系統の上位層（テレビジョン受像機Ｙ側）に存在する前記ＰＶＲ１０２で録画，録音することができる。一方，前記ＳＴＢ１０１から出力される映像や音声は，該ＳＴＢ１０１とは別の系統上に存在する前記ＰＶＲ１０２で録画，録音することはできない。
【特許文献１】特開２００４−２０８２９０号公報
【発明の開示】
【発明が解決しようとする課題】
【０００４】
しかしながら，ユーザがＨＤＭＩ機器各々の接続位置や接続系統など，ＨＤＭＩシステム全体の接続状態を把握するためには，直接ＨＤＭＩケーブルの接続経路などを確認するという煩雑な作業を要する。特に，多数のＨＤＭＩ機器が接続されている場合には，その接続状態の把握は非常に困難である。そのため，ＨＤＭＩ機器間で映像や音声を伝送して録画，録音を行う場合や，ＨＤＭＩ機器の接続位置を変更する場合，新たにＨＤＭＩ機器を接続する場合などの作業を迅速に行うことができないという問題が生じていた。
従って，本発明は上記事情に鑑みてなされたものであり，その目的とするところは，ＨＤＭＩ規格に準拠した方式で直接或いは間接的に接続された複数の電気機器各々の接続位置や接続系統などを容易に確認することのできる表示装置を提供することにある。
【課題を解決するための手段】
【０００５】
上記目的を達成するために本発明は，ＨＤＭＩ（High Definition Multimedia Interface）規格に準拠した方式で直接或いは間接的に複数の電気機器が接続可能な表示装置に適用されるものであって，前記電気機器各々の接続位置に関する接続位置情報を取得し，その取得された前記接続位置情報に基づいて前記電気機器各々を接続位置に配置したツリー構造で該電気機器各々の接続状態を表示するように構成される。ここで，前記接続位置情報は，ＨＤＭＩ規格のＣＥＣ（Consumer Electronics Control）規格に準拠した制御プロトコルに従って取得することが可能である。
このように構成された前記表示装置では，ユーザは，前記電気機器各々を接続位置に配置することによって形成されたツリー構造の表示により，該電気機器各々の接続位置や接続系統などの接続状態を容易に把握することができる。これにより，例えば前記電気機器間で映像や音声を伝送して録画，録音を行う場合や，前記電気機器の接続位置を変更する場合，新たに電気機器を接続する場合などの作業を迅速に行うことができる。
【０００６】
また，前記電気機器各々の機器種別に関する機器種別情報を取得し，その取得された前記機器種別情報に基づいて，前記表示された前記電気機器ごとに機器種別を表示するように構成することが望ましい。ここに，前記機器種別は，「ＤＶＤ機器」や「ＰＶＲ」など，装置の機能を区別し得るものであることが考えられる。但し，前記電気機器の型番や製品名などであってもかまわない。
このとき，前記ツリー構造で表示される前記電気機器各々を該電気機器の種別に応じて画像化すれば，ユーザは一見して前記電気機器の機器種別を把握しやすくなる。具体的には，アイコンやイラストで表示すればよい。
さらに，前記ツリー構造が表示された表示画面上において前記電気機器のいずれかを選択するための機器選択手段を設けておけば，ユーザは，前記ツリー構造の表示画面上で接続状態を確認しながら前記電気機器のいずれかを直接選択することができる。
【０００７】
また，前記電気機器各々の動作状態に関する動作状態情報を取得し，その取得された前記動作状態情報を表示することで，該電気機器各々の動作状態を容易に確認することのできる構成を実現することも考えられる。ここに，前記動作状態とは，例えば前記電気機器が動作中であるか待機中であるかや，映像や音声の出力中であるか否かなどである。
【０００８】
さらに，前記電気機器各々に設けられた一又は複数の接続端子の種別や該接続端子の使用状態に関する接続端子情報を取得し，その取得された前記接続端子情報を表示するように構成することが考えられる。これにより，ユーザは，前記電気機器各々の接続端子を目視することなく該接続端子の情報を容易に把握することができる。例えば，前記電気機器に空き端子があるか否か，また，その空き端子が受信用端子であるか送信用端子であるかなどを容易に知得することができる。
さらに，前記接続端子情報や予め定められた推奨条件に基づいて，次に電気機器を接続するときの推奨位置を判定し，その判定された推奨位置を表示するように構成することが望ましい。具体的には，複数の前記推奨位置を抽出してその優先順位を判定し，その優先順位を表示することが考えられる。これにより，ユーザは，次に電気機器を接続するときに，その接続先を迅速に判断することができる。また，前記電気機器に関する知識に乏しいユーザが容易に好適な接続位置を把握することができるという効果もある。
【発明の効果】
【０００９】
本発明によれば，ユーザは，前記電気機器各々を接続位置に配置することによって形成されたツリー構造の表示により，該電気機器各々の接続位置や接続系統などの接続状態を容易に把握することができる。これにより，例えば前記電気機器間で映像や音声を伝送して録画，録音を行う場合や，前記電気機器の接続位置を変更する場合，新たに電気機器を接続する場合などの作業を迅速に行うことができる。また，前記機器種別情報や前記動作状態情報，前記接続端子情報，前記推奨位置，複数の前記推奨位置の優先順位などの各種情報を同時に表示することが好適である。
【発明を実施するための最良の形態】
【００１０】
以下添付図面を参照しながら，本発明の実施の形態について説明し，本発明の理解に供する。尚，以下の実施の形態は，本発明を具体化した一例であって，本発明の技術的範囲を限定する性格のものではない。
ここに，図１は本発明の実施の形態に係るＨＤＭＩシステムＡの接続状態を示すブロック図，図２は本発明の実施の形態に係るテレビジョン受像機Ｘの概略構成図，図３は前記テレビジョン受像機Ｘで実行される接続状態表示処理の手順の一例を説明するためのフローチャート，図４は前記接続状態表示処理によって液晶表示部１に表示される接続状態の一例を示す図である。
図１に示すように，本発明の実施の形態に係るＨＤＭＩシステムＡは，テレビジョン受像機Ｘ（表示装置の一例）と，ＨＤＭＩ規格に準拠した方式で直接或いは間接的に前記テレビジョン受像機Ｘに接続されたセットトップボックス（ＳＴＢ）１１，ハードディスクレコーダ（ＰＶＲ）１２，ＤＶＤ機器１３，Ｄ−ＶＨＳ機器１４，オーディオ機器１５及びセットトップボックス（ＳＴＢ）１６と，を備えて構成されている。
ここに，前記ＳＴＢ１１，前記ＰＶＲ１２，前記ＤＶＤ機器１３，前記Ｄ−ＶＨＳ機器１４，前記オーディオ機器１５及び前記ＳＴＢ１６が，電気機器の一例であって，以下これらの電気機器をＨＤＭＩ機器と総称する。なお，前記ＳＴＢ１１，１６は，所謂チューナ等であって，ケーブルテレビや衛星放送，デジタル放送，ＩＰ放送等の放送信号を受信して前記テレビジョン受像機Ｘで視聴可能な信号に変換する装置である。
【００１１】
前記ＨＤＭＩシステムＡでは，ＨＤＭＩ規格に準拠した一本のケーブル（以下「ＨＤＭＩケーブル」という）で各機器間が接続されている。前記ＨＤＭＩケーブルには，映像を伝送する映像信号線，音声を伝送する音声信号線，予め設定された各種のコマンドを示すコントロール信号などを伝送するＣＥＣ信号線などが含まれている。
具体的に，前記ＨＤＭＩシステムＡでは，前記ＳＴＢ１１及び前記ＰＶＲ１２は，前記テレビジョン受像機Ｘに直接接続されており，前記ＤＶＤ機器１３，前記Ｄ−ＶＨＳ機器１４及び前記オーディオ機器１５は，前記ＰＶＲ１２を介して間接的に前記テレビジョン受像機Ｘに接続されている。また，前記ＳＴＢ１６は，前記オーディオ機器１５及び前記ＰＶＲ１２を介して間接的に前記テレビジョン受像機Ｘに接続されている。
このように，前記ＨＤＭＩシステムＡでは，前記テレビジョン受像機Ｘに，複数の前記ＨＤＭＩ機器が並列及び直列に接続されるため，その接続状態は図１に示すようなツリー構造を形成する。
【００１２】
また，前記ＨＤＭＩシステムＡでは，前記テレビジョン受像機Ｘから前記ＨＤＭＩ機器各々に前記コントロール信号を伝送することによって，該ＨＤＭＩ機器各々に，予め定められた各種の処理を実行させることができる。ここに，前記コントロール信号を用いた制御プロトコルは，ＨＤＭＩ規格のＣＥＣ（Consumer Electronics Control）規格で規定されている。
なお，前記ＨＤＭＩシステムＡにおける全ての前記ＨＤＭＩケーブルのＣＥＣ信号線は，電気的に接続（ショート）された状態にあり，該ＣＥＣ信号線上に出力された電気信号は，該ＨＤＭＩシステムＡを構成する全ての機器に入力されることになる。そのため，所定の機器だけに前記コントロール信号を受信させる際には，その機器を識別するための識別情報が付されたコントロール信号が出力される。この識別情報には，例えば後述する物理アドレスや論理アドレスが用いられる。そして，前記所定の機器は自己の識別情報が付されたコントロール信号を受信するが，他の機器はそのコントロール信号を受信しない。
【００１３】
次に，図２を用いて，本発明の実施の形態に係る前記テレビジョン受像機Ｘについて説明する。
図２に示すように，本発明の実施の形態に係るテレビジョン受像機Ｘは，液晶表示部１，音声出力部２，リモコン信号受信回路３，ＨＤＭＩ受信用端子４１，４２，映像処理回路５，音声処理回路６及び制御回路７などを備えて概略構成されている。また，これら以外にも，一般的なテレビジョン受像機が有する構成要素も備えている。
前記制御回路７は，演算手段であるＭＰＵ，そのＭＰＵによって実行される制御プログラムが予め格納される記憶手段であるＲＯＭ（ＥＰＲＯＭ），ＭＰＵが実行する処理において各種の情報の記憶に用いられるＲＡＭ（ＥＥＰＲＯＭ）などを備え，当該テレビジョン受像機Ｘ全体を制御するものである。なお，前記ＲＯＭには，前記ＨＤＭＩ機器の種別を示す後述の論理アドレスとその論理アドレスに対応するアイコン（画像）とが対応付けられた機器種別情報が記憶されており，該機器種別情報は，後述する接続状態表示処理（図３のフローチャート参照）において用いられる。
前記テレビジョン受像機Ｘは，前記制御回路７によって実行される後述の接続状態表示処理（図３のフローチャート参照）により，該テレビジョン受像機Ｘに接続された前記ＨＤＭＩ機器各々の接続状態をツリー構造で表示することのできる点に特徴を有しており，この点については後段で詳述する。
【００１４】
前記液晶表示部１は，液晶パネルやその周辺機器を有してなり，入力された映像を表示出力するものである。前記音声出力部２は，スピーカやその周辺機器を有してなり，入力された音声を再生出力するものである。前記テレビジョン受像機Ｘでは，前記ＨＤＭＩ機器から伝送された映像や音声が，前記液晶表示部１及び前記音声出力部２によって再生される。
前記リモコン信号受信回路３は，当該テレビジョン受像機Ｘの操作用のリモコン３１（遠隔操作器）から，赤外線伝送等の無線伝送によって前記リモコン３１に対する操作入力情報を取得し，その操作入力情報を前記制御回路７に伝送するものである。
【００１５】
前記ＨＤＭＩ受信用端子４１は，該ＨＤＭＩ受信用端子４１に接続されたＨＤＭＩケーブルの映像信号線と前記映像処理回路５に続く映像伝送経路４１１，前記ＨＤＭＩケーブルの音声信号線と前記音声処理回路６に続く音声伝送経路４１２，前記ＨＤＭＩケーブルのＣＥＣ信号線と前記制御回路７に続くＣＥＣ伝送経路４１３の各々を接続している。また，同様に，前記ＨＤＭＩ受信用端子４２は，該ＨＤＭＩ受信用端子４２に接続されたＨＤＭＩケーブルの映像信号線と前記映像処理回路５に続く映像伝送経路４２１，前記ＨＤＭＩケーブルの音声信号線と前記音声処理回路６に続く音声伝送経路４２２，前記ＨＤＭＩケーブルのＣＥＣ信号線と前記制御回路７に続くＣＥＣ伝送経路４２３の各々を接続している。
【００１６】
前記映像処理回路５は，前記映像伝送経路４１１，４２１から入力される映像信号のうち任意の映像信号を，前記制御回路７からの指示に従って選択し，該映像信号に所定の信号処理を施した後，前記液晶表示部１に出力する。
また，前記音声処理回路６は，前記音声伝送経路４１２，４２２から入力される音声信号のうち任意の音声信号を，前記制御回路７からの指示に従って選択し，該音声信号に所定の信号処理を施した後，前記音声出力部２に出力する。
【００１７】
続いて図２を用いて，前記ＳＴＢ１１に設けられた通信回路について説明する。なお，ここでは，前記ＳＴＢ１１を例に挙げて説明するが，前記ＰＶＲ１２，前記ＤＶＤ機器１３，前記Ｄ−ＶＨＳ機器１４，前記オーディオ機器１５及び前記ＳＴＢ１６にも概ね同様の通信回路が設けられている。
図２に示すように，前記ＳＴＢ１１には，前記ＨＤＭＩケーブルを接続するためのＨＤＭＩ送信用端子１１１及びＨＤＭＩ受信用端子１１２と，当該ＳＴＢ１１の動作を制御するマイコンなどの制御回路１１０と，が設けられている。
前記ＨＤＭＩ送信用端子１１１は，前記ＳＴＢ１１から映像や音声を出力するための端子であり，前記ＨＤＭＩ受信用端子１１２は，前記ＳＴＢ１１に映像や音声を入力するための端子である。また，前記ＨＤＭＩ送信用端子１１１又は前記ＨＤＭＩ受信用端子１１２から入力された前記コントロール信号は，前記制御回路１１０に入力される。前記ＳＴＢ１１では，前記制御回路１１０によって，前記コントロール信号に基づく各種の処理が実行される。
ここでは，前記ＨＤＭＩ送信用端子１１１は，前記テレビジョン受像機Ｘの前記ＨＤＭＩ受信用端子４１に前記ＨＤＭＩケーブルで接続されている。一方，前記ＨＤＭＩ受信用端子１１２は，前記ＨＤＭＩケーブルが接続されていない空き端子（不使用状態）である。
【００１８】
同様に，前記ＰＶＲ１２には一つのＨＤＭＩ送信用端子１２１と，三つのＨＤＭＩ受信用端子１２２〜１２４とが設けられており，前記ＨＤＭＩ送信用端子１２１と前記テレビジョン受像機Ｘの前記ＨＤＭＩ受信用端子４１，前記ＨＤＭＩ受信用端子１２２と前記ＤＶＤ機器１３に設けられたＨＤＭＩ送信用端子１３１，前記ＨＤＭＩ受信用端子１２３と前記Ｄ−ＶＨＳ機器１４に設けられたＨＤＭＩ送信用端子１４１，前記ＨＤＭＩ受信用端子１２４と前記オーディオ機器１５に設けられたＨＤＭＩ送信用端子１５１の各々が前記ＨＤＭＩケーブルで接続されている。
さらに，前記オーディオ機器１５に設けられたＨＤＭＩ受信用端子１５２と前記ＳＴＢ１６に設けられたＨＤＭＩ送信用端子１６１とが，前記ＨＤＭＩケーブルで接続されている。なお，前記ＤＶＤ機器１３に設けられたＨＤＭＩ受信用端子１３２及び前記ＳＴＢ１６に設けられたＨＤＭＩ受信用端子１６２には，前記ＨＤＭＩケーブルが接続されていない空き端子（不使用状態）である。
【００１９】
以下，図３のフローチャートに従って，図４を参照しつつ前記テレビジョン受像機Ｘにおいて前記制御回路７によって実行される接続状態表示処理の手順の一例について説明する。なお，図中のＳ１，Ｓ２，…は処理手順（ステップ）の番号を表している。
当該接続状態表示処理は，前記リモコン３１等に設けられた電源スイッチが押下されることにより，前記テレビジョン受像機Ｘに対して電源投入要求が行われ，該テレビジョン受像機Ｘの電源が投入された後（例えばスタンバイモードから通常動作モードへの移行後），前記制御回路７によって実行される。
【００２０】
ステップＳ１では，前記制御回路７によって，前記テレビジョン受像機Ｘに接続されている不特定多数のＨＤＭＩ機器各々に対して物理アドレスを割り振ると共に，該ＨＤＭＩ機器各々の接続位置及び機器種別を知得するためのブロードキャストが実行される。当該ブロードキャストの処理は，ＨＤＭＩ規格のＣＥＣ規格に準拠した制御プロトコルに従って実行される。また，この処理は，例外的なものではなく，前記ＣＥＣ規格の基本コマンドに基づいて行われる。
ここに，前記物理アドレスは，前記ＨＤＭＩシステムＡにおける接続系統及び接続位置によって決定されるものであって，図４に示すように，前記テレビジョン受像機ＸのＨＤＭＩ受信用端子４１に接続された前記ＳＴＢ１１には物理アドレス（１，０，０，０），前記テレビジョン受像機ＸのＨＤＭＩ受信用端子４２に接続された前記ＰＶＲ１２には物理アドレス（２，０，０，０）が割り振られる。
また，前記ＰＶＲ１２に接続された前記ＤＶＤ機器１３，前記Ｄ−ＶＨＳ機器１４及び前記オーディオ機器１５各々には，前記ＰＶＲ１２の下層に存在することを示す物理アドレス（２，１，０，０），（２，２，０，０），（２，３，０，０）が割り振られる。さらに，前記ＳＴＢ１６には，前記オーディオ機器１５の下層に存在することを示す物理アドレス（２，３，１，０）が割り振られる。
【００２１】
そして，前記テレビジョン受像機Ｘからのブロードキャストを受けた前記ＨＤＭＩ機器各々では，自己に割り振られた物理アドレス（接続位置情報に相当）と共に，自己の機器種別を示す論理アドレス（機器種別情報に相当）を，前記ＨＤＭＩケーブルのＣＥＣ信号線を介して前記テレビジョン受像機Ｘに向けて出力するための処理が実行される。ここに，前記論理アドレスは，ＨＤＭＩ規格において下記の表１のように規定されている。
【表１】
2008067267.tif 000003
【００２２】
これにより，前記テレビジョン受像機Ｘの前記制御回路７に，前記ＨＤＭＩ受信用端子４１，４１に直接或いは間接的に接続された複数のＨＤＭＩ機器各々の物理アドレス及び論理アドレスが入力されると（Ｓ２のＹｅｓ側），その物理アドレス及び論理アドレスは，前記制御回路７によってＲＡＭなどの記憶手段に記憶される（Ｓ３）。このステップＳ２〜Ｓ３の処理は，前記制御回路７によって所定時間が経過したと判断されるまで実行される（Ｓ４のＮｏ側）。一方，ステップＳ４において所定時間が経過したと判断された場合には，処理はステップＳ５に移行する。
このように，不特定多数の前記ＨＤＭＩ機器にブロードキャストを行うことにより，該ＨＤＭＩ機器各々の物理アドレス及び論理アドレスを取得するための処理を実行するときの前記制御回路７が接続位置情報取得手段及び機器種別情報取得手段に相当する。
【００２３】
次に，ステップＳ５では，前記テレビジョン受像機Ｘに接続された前記ＨＤＭＩ機器各々の接続状態の表示要求が行われたか否かが前記制御回路７によって判断される。具体的には，ユーザによって前記リモコン３１等に対して前記接続状態の表示要求操作が行われることにより，該リモコン３１等から前記リモコン信号受信回路３に接続状態表示要求信号が入力されたか否かによって判断される。
そして，前記ステップＳ５の判断は，前記接続状態の表示要求が行われたと判断されるまでの間（Ｓ５のＮｏ側），繰り返し実行されるが，前記接続状態の表示要求が行われたと判断された場合には（Ｓ５のＹｅｓ側），処理はステップＳ６に移行する。なお，前記接続状態の表示要求が行われた場合に，再度前記Ｓ１〜Ｓ４の処理を実行することにより，最新の情報を取得した後，ステップＳ６に移行するように処理してもよい。
【００２４】
ステップＳ６では，前記ＨＤＭＩ機器各々から取得した物理アドレス及び論理アドレスに基づいて該ＨＤＭＩ機器各々を接続位置に配置したツリー構造を示す画像を生成するための処理が前記制御回路７によって実行される。
具体的には，まず，前記制御回路７は，前記論理アドレスと前記制御回路７のＲＯＭに記憶された前記機器種別情報とに基づいて前記ＨＤＭＩ機器各々に対応するアイコンを抽出する。そして，前記制御回路７は，前記抽出されたアイコン各々を，前記物理アドレスに基づいてその接続位置に配置することにより，該ＨＤＭＩ機器各々をツリー状に配置した接続状態を示す接続状態画像を生成する。このように，前記テレビジョン受像機Ｘでは，前記ＨＤＭＩ機器各々が，その機器種別に応じてアイコン（イラスト）として画像化される。
なお，前記ＨＤＭＩ機器各々を，画像化せずにその機器種別などを文字で表示することも他の実施例として考えられる。例えば，図１に示すような状態で表示することが考えられる。また，前記ＨＤＭＩ機器各々が受信用端子で接続されているか，送信用端子で接続されているかに応じて，前記ＨＤＭＩシステムＡにおける映像や音声の伝送可能方向を矢印などで表示することも他の実施例として考えられる。
【００２５】
その後，ステップＳ７では，前記制御回路７によって，前記接続状態画像が前記液晶表示部１に出力されることにより，該接続状態画像が前記液晶表示部１に表示される（図４参照）。即ち，前記ＨＤＭＩシステムＡ全体に接続されたＨＤＭＩ機器各々を接続位置に配置したツリー構造で該ＨＤＭＩ機器各々の接続状態が表示されると共に，そのＨＤＭＩ機器ごとに機器種別が表示される。ここに，前記接続状態画像を表示するための処理（Ｓ６〜Ｓ７）を実行するときの前記制御回路７が接続状態表示手段及び機器種別表示手段に相当する。
これにより，ユーザは，前記液晶表示部１に表示された前記接続状態画像を一見することで，前記ＨＤＭＩ機器各々の接続位置や機器種別など，前記ＨＤＭＩシステムＡ全体の接続状態を容易に把握することができる。特に，前記ＨＤＭＩ機器がアイコンによって画像化されて表示されているため，機器種別の認識が容易である。
なお，前記接続状態画像の表示は，該接続状態画像を終了させるための接続状態表示終了要求が行われたことが前記制御回路７によって判断された場合に終了される（Ｓ８のＹｅｓ側）。前記接続状態表示終了要求は，例えば前記リモコン３１等に対する所定の操作入力や所定の時間の経過によって行われる。
【実施例１】
【００２６】
ここに，図５は接続状態表示処理の他の例を説明するためのフローチャート，図６及び図７は前記接続状態表示処理の他の例によって表示される接続状態の一例を示す図である。
前記実施の形態では，ＨＤＭＩ規格のＣＥＣ規格の基本コマンドだけを用いた場合を例に挙げて説明した。しかし，前記ＨＤＭＩシステムＡでは，前記テレビジョン受像機Ｘと前記ＨＤＭＩ機器各々との間で，予め例外的なコマンド（以下「ベンダーコード」という）を設定することができる。そこで，前記ベンダーコードを用いれば，前記接続状態画像に，更に詳細な情報を含ませることも可能である。
【００２７】
ここでは，自己の動作状態に関する動作状態情報の出力処理を前記ＨＤＭＩ機器に実行させるベンダーコード（以下「動作状態情報出力コード」という）と，自己に設けられた接続端子の種別やその接続端子の使用状態に関する接続端子情報の出力処理を前記ＨＤＭＩ機器に実行させるベンダーコード（以下「接続端子情報出力コード」という）とが予め設定されているとする。ここに，前記動作状態とは，例えば前記ＨＤＭＩ機器が動作中であるか待機状態であるかに関するものである。なお，映像や音声を出力中であるか否かなどに関するものであってもよい。また，前記接続端子の使用状態とは，前記ＨＤＭＩケーブルの接続の有無などである。
【００２８】
以下，図５のフローチャートに従って，前記テレビジョン受像機Ｘにおいて前記制御回路７によって実行される接続状態表示処理の他の例について説明する。なお，前記実施の形態で説明した接続状態表示処理（図３参照）と同様の処理手順については同じ符号を付してその説明を省略する。
当該接続状態表示処理では，前記制御回路７によって前記動作状態情報出力コード及び前記接続端子情報出力コードを前記ＣＥＣ信号線上に出力するための処理が実行される（Ｓ１１）。
そして，前記テレビジョン受像機Ｘからの前記動作状態情報出力コード及び前記接続端子情報出力コードを受けた前記ＨＤＭＩ機器各々では，自己の動作状態情報及び接続端子情報を出力するための処理が実行される。
これにより，前記テレビジョン受像機Ｘの制御回路７に，前記ＨＤＭＩ機器各々の前記動作状態情報及び前記接続端子情報が入力されると（Ｓ１２のＹｅｓ側），その動作状態情報及び接続端子情報は，前記制御回路７によってＲＡＭなどの記憶手段に記憶される（Ｓ１３）。ここに，前記動作状態情報及び前記接続端子情報を取得するための処理を実行するときの前記制御回路７が動作状態情報取得手段及び接続端子情報取得手段に相当する。
【００２９】
その後，ステップＳ１４では，前記接続端子情報及び予め設定された推奨条件に基づいて，次にＨＤＭＩ機器を接続するときの推奨位置及びその優先順位を判定するための処理が前記制御回路７によって実行される。ここでは，具体的に，前記ＨＤＭＩシステムＡのツリー構造において上位層であるほど優先順位が高いことが推奨条件として設定されていると仮定する。なお，前記推奨条件は，予め前記制御回路７のＲＯＭやＲＡＭに記憶されている。
具体的には，まず，前記制御回路７によって，前記接続端子情報に基づいて未使用のＨＤＭＩ受信用端子が抽出される。ここでは，図２に示したように，前記ＳＴＢ１１のＨＤＭＩ受信用端子１１２，前記ＤＶＤ機器１３のＨＤＭＩ受信用端子１３２，前記ＳＴＢ１６のＨＤＭＩ受信用端子１６２が未使用であるため，これらのＨＤＭＩ受信用端子が抽出される。
そして，前記制御回路７によって，前記推奨条件に基づいて，前記抽出された複数のＨＤＭＩ受信用端子１１２，１３２，１６２の優先順位が判定される。ここでは，前記優先順位は，前記ＳＴＢ１１のＨＤＭＩ受信用端子１１２，前記ＤＶＤ機器１３のＨＤＭＩ受信用端子１３２，前記ＳＴＢ１６のＨＤＭＩ受信用端子１６２の順になる。ここに，かかる処理を実行することにより次にＨＤＭＩ機器を接続するときの推奨位置や，その優先順位を判定するときの前記制御部７が推奨位置判定手段に相当する。
【００３０】
その後，前記ステップＳ６に続いて実行されるステップＳ６１では，前記接続状態画像（図４参照）に，前記動作状態情報，前記接続端子情報及び次にＨＤＭＩ機器を接続するときの推奨位置の優先順位を追記するための処理が，前記制御回路７によって実行される。
具体的には，動作中のＨＤＭＩ機器と待機中のＨＤＭＩ機器との表示に濃淡をつけることで該ＨＤＭＩ機器ごとの動作状態情報が表示される。また，前記接続端子情報は，未使用の接続端子（空き端子）の有無がアイコンの左上部に「○」又は「×」を記すことによって表示される（図６参照）。さらに，その未使用の接続端子（「○」表示）各々には，前記ステップＳ１２で判定された優先順位が併せて表示される（図６参照）。
【００３１】
これにより，続く前記ステップＳ７では，図６に示すように，前記ＨＤＭＩ機器各々の接続位置や接続系統，機器種別などに加えて，該ＨＤＭＩ機器各々の動作状態や接続端子の使用状態，次にＨＤＭＩ機器を接続するきの推奨位置，その優先順位などを含む接続状態画像が表示される。ここに，前記動作状態情報，前記接続端子情報，前記推奨位置及びその優先順位を表示するための処理を実行するときの前記制御回路７が，動作状態表示手段，接続端子情報表示手段及び推奨位置表示手段に相当する。
したがって，ユーザは，次にＨＤＭＩ機器を前記ＨＤＭＩシステムＡに追加接続するときに，そのＨＤＭＩ機器を接続可能な未使用の接続端子，更にはその接続の推奨位置やその優先順位などを容易に知得することができる。
【００３２】
なお，ここでは，前記推奨位置の優先順位を表示する例について説明したが，単に前記推奨位置を表示するだけの構成も他の実施例として考えられる。
また，未使用の接続端子の数や接続端子の種別を併せて表示することも他の実施例として考えられる。
さらに，前記ＨＤＭＩシステムＡ全体に接続することのできるＨＤＭＩ機器ごとの台数はＨＤＭＩ規格で規定されているため，予めそのＨＤＭＩ機器ごとの接続可能台数を記憶しておき，その情報に基づいて，現状の前記ＨＤＭＩシステムＡに追加接続可能なＨＤＭＩ機器の種別毎の台数を表示することも他の実施例として考えられる（図７参照）。
【実施例２】
【００３３】
ところで，前記ＨＤＭＩシステムＡでは，前記テレビジョン受像機Ｘの前記リモコン３１の操作によって，該テレビジョン受像機Ｘに接続された前記ＨＤＭＩ機器各々を操作することが可能である。但し，前記ＨＤＭＩ機器の操作の際には，いずれのＨＤＭＩ機器を操作するかを予め選択する必要がある。
本実施例２では，前記ＨＤＭＩ機器のいずれかを選択するための手法の一例について説明する。ここに，図８は接続状態表示処理の他の例を説明するためのフローチャート，図９は前記接続状態表示処理の他の例によって表示される接続状態の一例を示す図である。
【００３４】
図８に示すように，前記ステップＳ７において前記ＨＤＭＩシステムＡの接続状態画像が表示された後，ステップＳ２０では，前記制御回路７によって選択操作の開始要求が行われたか否かが判断される。具体的には，ユーザによって前記リモコン３１等に対して前記選択操作の開始要求操作が行われることにより，該リモコン３１等から前記リモコン信号受信回路３に選択操作開始要求信号が入力されたか否かによって判断される。
ここで，前記選択操作の開始要求が行われたと判断された場合には，処理はステップＳ２１に移行する。
【００３５】
ステップＳ２１では，前記制御回路７によって，前記ＨＤＭＩシステムＡの接続状態を示すツリー構造を示す前記接続状態画像が表示された前記液晶表示部１の表示画面上に，該ＨＤＭＩシステムＡに接続された複数のＨＤＭＩ機器のいずれかを選択するためのカーソルＣが表示される。もちろん前記カーソルＣの形状は，図示するものに限られない。
そして，続くステップＳ２２では，前記リモコン３１に設けられた十字キー等が操作されたか否かが，前記制御回路７によって判断される。ここで，前記十字キー等の操作が行われたと判断された場合には（Ｓ２２のＹｅｓ側），前記制御回路７によって前記カーソルＣをその操作に応じて移動させるための処理が実行される（Ｓ２３）。
【００３６】
その後，ステップＳ２４では，前記カーソルＣが任意のＨＤＭＩ機器を選択した状態で，前記リモコン３１に設けられた決定キー等が操作されたか否かが，前記制御回路７によって判断される。ここで，前記決定キー等の操作が行われたと判断された場合には（Ｓ２４のＹｅｓ側），前記制御回路７によって前記カーソルＣが選択しているＨＤＭＩ機器の選択を確定するための処理が実行させる（Ｓ２５）。具体的には，前記カーソルＣが選択するＨＤＭＩ機器の論理アドレスを，次に前記リモコン３１が操作された場合の操作対象として設定する。ここに，前記状態表示画像の表示画面上において前記ＨＤＭＩ機器のいずれかを選択するための操作や処理が行われる前記リモコン３１及び前記制御回路７が機器選択手段に相当する。なお，ここでは，前記ＨＤＭＩ機器のいずれかの操作をする際に，該ＨＤＭＩ機器を選択するときの処理について説明するが，この選択手法は，他の動作時にも同様に採用し得る。例えば，異なる前記ＨＤＭＩ機器間で映像や音声を伝送して録画や録音するダビングの際に用いることが考えられる。
【００３７】
このように前記ＨＤＭＩ機器の選択が確定されると，次に，ステップＳ２６では，前記制御回路７によって，その選択されたＨＤＭＩ機器の操作に関する表示が行われる（図９参照）。例えば，図９に示すように，前記Ｄ−ＶＨＳ機器１４が選択された場合には，該Ｄ−ＶＨＳ機器１４の操作項目として，「再生」，「停止」，「録画」，…などが表示される。
そして，ユーザにより前記リモコン３１の十字キーや決定キー等が操作されることにより前記操作項目が選択・決定されたことが前記制御回路７によって判断されると（Ｓ２７のＹｅｓ側），処理はステップＳ２８に移行する。
ステップＳ２８では，前記制御回路７によって，前記ステップＳ２７で選択・決定された操作項目に対応する処理を前記Ｄ−ＶＨＳ機器１４に実行させるためのコントロール信号が，該Ｄ−ＶＨＳ機器１４に向けて出力される。このとき，前記コントロール信号には，前記Ｄ−ＶＨＳ機器１４の物理アドレスや論理アドレスなど，該Ｄ−ＶＨＳ機器１４を識別可能な情報が添付される。これにより，前記Ｄ−ＶＨＳ機器１４は，自己に向けて送信されたコントロール信号であると判断し，該コントロール信号に対応する処理を実行する。
【図面の簡単な説明】
【００３８】
【図１】本発明の実施の形態に係るＨＤＭＩシステムＡの接続状態を示すブロック図。
【図２】本発明の実施の形態に係るテレビジョン受像機Ｘの概略構成図。
【図３】テレビジョン受像機Ｘで実行される接続状態表示処理の手順の一例を説明するためのフローチャート。
【図４】接続状態表示処理によって液晶表示部１に表示される接続状態の一例を示す図。
【図５】接続状態表示処理の他の例を説明するためのフローチャート。
【図６】接続状態表示処理の他の例によって表示される接続状態の一例を示す図。
【図７】接続状態表示処理の他の例によって表示される接続状態の一例を示す図。
【図８】接続状態表示処理の他の例を説明するためのフローチャート。
【図９】接続状態表示処理の他の例によって表示される接続状態の一例を示す図。
【図１０】ＨＤＭＩシステムＢの接続状態を示すブロック図。
【符号の説明】
【００３９】
Ａ…ＨＤＭＩシステム
Ｘ…テレビジョン受像機（表示装置の一例）
１…液晶表示部
２…音声出力部
３…リモコン信号受信回路
４１，４２…ＨＤＭＩ受信用端子
４１１，４２１…映像伝送経路
４１２，４２２…音声伝送経路
４１３，４２３…ＣＥＣ伝送経路
５…映像処理回路
６…音声処理回路
７…制御回路
１１，１６…セットトップボックス（ＳＴＢ）（電気機器の一例）
１２…ハードディスクレコーダ（ＰＶＲ）（電気機器の一例）
１３…ＤＶＤ機器（電気機器の一例）
１４…Ｄ−ＶＨＳ機器（電気機器の一例）
１５…オーディオ機器（電気機器の一例）
Ｓ１，Ｓ２，…，…処理手順（ステップ）番号
【図１】
2008067267.tif 000004
【図２】
2008067267.tif 000005
【図３】
2008067267.tif 000006
【図４】
2008067267.tif 000007
【図５】
2008067267.tif 000008
【図６】
2008067267.tif 000009
【図７】
2008067267.tif 000010
【図８】
2008067267.tif 000011
【図９】
2008067267.tif 000012
【図１０】
2008067267.tif 000013